(57)【特許請求の範囲】
【請求項１】
前面に形成された凹部に端子台を有した機器本体と、前記凹部の開口周縁部に設けられた防水クッションと、前記凹部に対して開閉自在に設けられ当該凹部を塞いだ時に前記防水クッションを押圧するフロントカバーと、前記機器本体の外部から導入され前記機器本体の底面下から前記防水クッションと前記フロントカバーとの間を通って一端を前記端子台に接続されるケーブルと、前記機器本体を固定対象物に固定すると共に、前記ケーブルの一部を固定する据え付け具とを備えた無線通信基地局。
【請求項２】
機器本体の一部にケーブルの一部を通す切り欠き部を設けたことを特徴とする請求項１記載の無線通信基地局。
【請求項３】
切り欠き部の開口を塞ぐケーブルカバーを設けたことを特徴とする請求項２記載の無線通信基地局。
【請求項４】
ケーブルの一部を嵌入する溝部を有した防水ゴムを防水クッションの一部に設けたことを特徴とする請求項１から請求項３のうちのいずれか１項記載の無線通信基地局。
【発明の詳細な説明】
【０００１】
【発明の属する技術分野】
この発明は、屋内外において電源線や通信線を定位置に配線する無線通信基地局に関するものである。
【０００２】
【従来の技術】
図６は従来の無線通信基地局を示す斜視図であり、図７はケーブル導入部の防水構造を示す要部断面図である。図において、２１は前面に形成された凹部２１ａに端子台２２を有した機器本体、２３は凹部２１ａの開口周縁部に設けられた防水クッションである。２４は機器本体２１の凹部２１ａに対して開閉自在となるように蝶番２５によって設けられ、当該凹部２１ａを塞いだ時に防水クッション２３を押圧するフロントカバーであり、防水クッション２３と当接する突部２４ａを有している。２６は一端を端子台２２に接続されたケーブルであり、例えば、電源線及び通信線などから構成されている。
２７は機器本体２１にケーブル２６を挿通する貫通孔に設けられ、かつ、ケーブル２６を嵌入可能に形成したケーブルブッシュである。すなわち、ケーブル２６は、機器本体２１の背面側からケーブルブッシュ２７に通して凹部２１ａに導入され、端子台２２に接続されている。
【０００３】
次に動作について説明する。
作業者は一方の手で機器本体２１を保持し、他方の手でケーブル２６を機器本体２１のケーブルブッシュ２７に通してから端子台２２に配線する。
なお、フロントカバー２４を閉じてその突部２４ａを防水クッション２３に当接させると、その当接箇所における防水クッション２３の弾性力によって密着し、防水が図られる。
【０００４】
【発明が解決しようとする課題】
従来の無線通信基地局は以上のように構成されているので、作業者は一方の手で機器本体２１を保持し、他方の手でケーブル２６を機器本体２１のケーブルブッシュ２７に通してから端子台２２に配線しなければならず、据え付けの作業性が悪く、安全性の観点からも好ましくないなどの課題があった。
また、外観品質及び防水性能を犠牲にすることなく、かかる課題を解決することに苦慮していたなどの課題があった。
【０００５】
この発明は上記のような課題を解決するためになされたもので、防水性を確保しつつ、作業性と安全性を向上できる無線通信基地局を得ることを目的とする。
【０００６】
また、この発明は、防水性を確保しつつ、外観品質を向上できる無線通信基地局を得ることを目的とする。
【０００７】
【課題を解決するための手段】
請求項１記載の発明に係る無線通信基地局は、前面に形成された凹部に端子台を有した機器本体と、前記凹部の開口周縁部に設けられた防水クッションと、前記凹部に対して開閉自在に設けられ当該凹部を塞いだ時に前記防水クッションを押圧するフロントカバーと、前記機器本体の外部から導入され前記機器本体の底面下から前記防水クッションと前記フロントカバーとの間を通って一端を前記端子台に接続されるケーブルと、前記機器本体を固定対象物に固定すると共に、前記ケーブルの一部を固定する据え付け具とを備えたものである。
【０００８】
請求項２記載の発明に係る無線通信基地局は、機器本体の一部にケーブルの一部を通す切り欠き部を設けたものである。
【０００９】
請求項３記載の発明に係る無線通信基地局は、切り欠き部の開口を塞ぐケーブルカバーを設けたものである。
【００１０】
請求項４記載の発明に係る無線通信基地局は、ケーブルの一部を嵌入する溝部を有した防水ゴムを防水クッションの一部に設けたものである。
【００１１】
【発明の実施の形態】
以下、この発明の実施の一形態を説明する。
実施の形態１．
図１はこの発明の実施の形態１による無線通信基地局を示す斜視図であり、図２は機器本体を据え付け金具に固定する組立斜視図である。図において、１は前面に形成された凹部１ａに端子台２を有した機器本体、３は凹部１ａの開口周縁部に設けられた防水クッションであり、弾性部材により形成されている。４は機器本体１の凹部１ａに対して開閉自在となるように蝶番５によって設けられ、当該凹部１ａを塞いだ時に防水クッション３を押圧するフロントカバーであり、防水クッション３と当接する突部４ａを有している。
６は一端を端子台２に接続されたケーブルであり、例えば、電源線及び通信線などから構成されている。このケーブル６は、機器本体１の背面側からその底面下を通して凹部１ａに導入され、端子台２に接続されている。
７は機器本体１を図示しない壁（固定対象物）などに固定すると共に、機器本体１に導入する前のケーブル６の一部を、２つのケーブルクランプ８によって固定する据え付け金具（据え付け具）である。すなわち、据え付け金具７は、図示しない壁などに、例えば、図示しないネジ手段などによって固定できるように形成されていると共に、その据え付け金具７に図示しないネジ手段などによって機器本体１を固定できるように形成されている。
【００１２】
次に動作について説明する。
据え付け金具７は、図示しない壁などに、例えば、図示しないネジ手段などによって固定される。そして、機器本体１に導入する前のケーブル６の一部を、ケーブルクランプ８によって固定する。
次に、当該壁などに固定された据え付け金具７に機器本体１を図示しないネジ手段などによって固定する。そして、ケーブルクランプ８によって固定されたケーブル６の一端を、機器本体１の底面下を通して凹部１ａに導入し、端子台２に接続する。
したがって、ケーブル６はケーブルクランプ８によって据え付け金具７に固定されているので、据え付け金具７に導入される前のケーブル６に外力が加わっても、端子台２との接続箇所に当該外力が加わることがなく、当該接続箇所が外れるのを防止する。
また、フロントカバー４を閉じてその突部４ａを防水クッション３に当接させると、その当接箇所における防水クッション３の弾性力によって密着し、防水が図られる。
【００１３】
以上のように、この実施の形態１によれば、据え付け工事をする際には、ケーブルクランプ８によって固定されたケーブル６の一端を、機器本体１の底面下を通して凹部１ａに導入し、端子台２に接続することにより容易に行うことができるので、据え付け作業工数を低減できる効果が得られる。すなわち、作業者が一方の手で機器本体を保持し、他方の手でケーブルをその機器本体に挿通させてから端子台に配線するという、手間のかかる従来の作業を回避することができる効果が得られる。
また、片手作業をしなくて済むので、安全性が向上する効果も得られる。
さらに、ケーブル６はケーブルクランプ８によって据え付け金具７に固定されているので、据え付け金具７に導入される前のケーブル６に外力が加わっても、端子台２との接続箇所に当該外力が加わることがなく、当該接続箇所が外れるのを防止できる効果も得られる。
【００１４】
なお、上記実施の形態１においては、据え付け金具７と機器本体１との固定は、図示しないネジ手段などによって行うものとして説明したが、これに限られず、接着その他の周知慣用手段によって行ってもよく、また両者をワンタッチで係合固定できるように一方に係合用の突部を設け、他方に当該突部に係合する凹部を形成してもよい。
また、据え付け金具７は、所定の強度を確保できれば金属製でなくてもよい。
【００１５】
実施の形態２．
この発明の実施の形態２は、上記実施の形態１における機器本体１の底面にケーブル６の一部を通す切り欠き部を設けたものである。
図３はこの発明の実施の形態２による無線通信基地局を示す斜視図であり、図において、９は機器本体１の底面にケーブル６の一部を通せるように設けた切り欠き部である。この切り欠き部９の深さと幅は、ケーブル６を通したときに当該ケーブル６が機器本体１の表面から突出しない程度に形成してある。
その他の構成は、実施の形態１の場合と同様であるので、同一部材には同一の符号を付して説明を省略する。
【００１６】
次に動作について説明する。
動作は実施の形態１の場合とほぼ同様であるので、異なる点についてのみ説明する。すなわち、ケーブルクランプ８によって固定されたケーブル６は、その一部を機器本体１の切り欠き部９にはめ込んで通してから凹部１ａに導入し、端子台２に接続する。
したがって、ケーブル６が機器本体１の表面から突出していないので、ケーブル６が保護されると共に、外観の見栄えが向上する。
【００１７】
以上のように、この実施の形態２によれば、実施の形態１の場合と同様の効果を得られるほか、ケーブル６が機器本体１の表面から突出していないので、ケーブル６を保護することができると共に、外観の見栄えが向上する効果が得られる。
【００１８】
なお、上記実施の形態２においては、切り欠き部９を機器本体１の底面に設けるものとして説明したが、これに限られず、機器本体１を据え付ける位置に応じて適宜変更できることは言うまでもない。
【００１９】
実施の形態３．
この発明の実施の形態３は、上記実施の形態２における切り欠き部９にその開口を塞ぐケーブルカバーを設けたものである。
図４はこの発明の実施の形態３による無線通信基地局を示す斜視図であり、図において、１０は切り欠き部９の開口を塞ぐケーブルカバーであり、機器本体１の底面にネジ１１によって固定するためのネジ孔１２を有している。
その他の構成は、実施の形態２の場合と同様であるので、同一部材には同一の符号を付して説明を省略する。
【００２０】
次に動作について説明する。
動作は実施の形態２の場合とほぼ同様であるので、異なる点についてのみ説明する。すなわち、ケーブルクランプ８によって固定されたケーブル６は、その一部を機器本体１の切り欠き部９にはめ込んで通してから凹部１ａに導入し、端子台２に接続する。そして、切り欠き部９の開口は、ケーブルカバー１０を機器本体１の底面にネジ１１によって固定することによって塞がれる。
したがって、このケーブルカバー１０によってケーブル６に水がかかるのを防止でき、ケーブル６が保護されると共に、外観の見栄えがさらに向上する。
【００２１】
以上のように、この実施の形態３によれば、実施の形態２の場合と同様の効果が得られるほか、ケーブル６がケーブルカバー１０によって保護されているので、ケーブル６に水がかかるのを防止できると共に、外観の見栄えがさらに向上する効果が得られる。
【００２２】
なお、上記実施の形態３においては、ケーブルカバー１０を機器本体１の底面にネジ１１によって固定するものとして説明したが、これに限られず、接着その他の周知慣用手段によって行ってもよく、また両者をワンタッチで係合固定できるように一方に係合用の突部を設け、他方に当該突部に係合する凹部を形成してもよい。
【００２３】
実施の形態４．
この発明の実施の形態４は、上記実施の形態１における防水クッション３の一部にケーブル６の一部を嵌入する溝部を有した防水ゴムを設けたものである。
図５はこの発明の実施の形態４による無線通信基地局を示す斜視図であり、図において、１４は端子台２の下方に位置する防水クッション３の一部を除去し、当該除去部分に設けられた防水ゴムであり、その前面にケーブル６の一部を嵌入する溝部１３を有している。この防水ゴム１４は、防水クッション３よりも優れた防水性能を備えている。
その他の構成は、実施の形態１の場合と同様であるので、同一部材には同一の符号を付して説明を省略する。
【００２４】
次に動作について説明する。
動作は実施の形態１の場合とほぼ同様であるので、異なる点についてのみ説明する。すなわち、防水ゴム１４の溝部１３にケーブル６の一部を嵌入しているので密着性がさらに向上すると共に、溝部１３に嵌入されたケーブル６は防水ゴム１４の表面から突出しないので、フロントカバー４の密閉性も担保される。
したがって、実施の形態１の場合よりも、さらに防水が図られる。
【００２５】
以上のように、この実施の形態４によれば、さらに防水性を向上させることができる効果が得られる。
【００２６】
なお、上記実施の形態４において、上記実施の形態２において示した切り欠き部９または実施の形態３において示したケーブルカバー１０などを併用することもできる。この場合、防水ゴム１４部分での防水性が向上するほか、機器本体１の底部での防水性や見栄えを向上できる効果が得られる。
【００２７】
【発明の効果】
以上のように、請求項１記載の発明によれば、前面に形成された凹部に端子台を有した機器本体と、前記凹部の開口周縁部に設けられた防水クッションと、前記凹部に対して開閉自在に設けられ当該凹部を塞いだ時に前記防水クッションを押圧するフロントカバーと、前記機器本体の外部から導入され前記機器本体の底面下から前記防水クッションと前記フロントカバーとの間を通って一端を前記端子台に接続されるケーブルと、前記機器本体を固定対象物に固定すると共に、前記ケーブルの一部を固定する据え付け具とを備えるように構成したので、防水性を確保し、据え付け工事をする際には、据え付け具によって固定されたケーブルの一端を、機器本体の底面下を通して凹部に導入し、端子台に接続することにより容易に行うことができるので、据え付け作業工数を低減できる効果がある。すなわち、作業者が一方の手で機器本体を保持し、他方の手でケーブルをその機器本体に挿通させてから端子台に配線するという、手間のかかる従来の作業を回避することができ、片手作業をしなくて済むので、据え付け工事の安全性が向上する効果がある。
また、ケーブルは据え付け具に固定されているので、据え付け具に導入される前のケーブルに外力が加わっても、端子台との接続箇所に当該外力が加わることがなく、当該接続箇所が外れるのを防止できる効果もある。
【００２８】
請求項２記載の発明によれば、機器本体の一部にケーブルの一部を通す切り欠き部を設けるように構成したので、ケーブルが機器本体の表面から突出せず、ケーブルを保護することができると共に、外観の見栄えが向上する効果がある。
【００２９】
請求項３記載の発明によれば、切り欠き部の開口を塞ぐケーブルカバーを設けるように構成したので、ケーブルがケーブルカバーによって保護され、ケーブルに水がかかるのを防止できると共に、外観の見栄えがさらに向上する効果がある。
【００３０】
請求項４記載の発明によれば、ケーブルの一部を嵌入する溝部を有した防水ゴムを防水クッションの一部に設けるように構成したので、さらに防水性を向上させることができる効果がある。
【図面の簡単な説明】
【図１】  この発明の実施の形態１による無線通信基地局を示す斜視図である。
【図２】  機器本体を据え付け金具に固定する組立斜視図である。
【図３】  この発明の実施の形態２による無線通信基地局を示す斜視図である。
【図４】  この発明の実施の形態３による無線通信基地局を示す斜視図である。
【図５】  この発明の実施の形態４による無線通信基地局を示す斜視図である。
【図６】  従来の無線通信基地局を示す斜視図である。
【図７】  ケーブル導入部の防水構造を示す要部断面図である。
【符号の説明】
１  機器本体、１ａ  凹部、２  端子台、３  防水クッション、４  フロントカバー、６  ケーブル、７  据え付け金具（据え付け具）、９  切り欠き部、１０  ケーブルカバー、１３  溝部、１４  防水ゴム。
【図１】
0003676050.tif 000002
【図２】
0003676050.tif 000003
【図３】
0003676050.tif 000004
【図４】
0003676050.tif 000005
【図５】
0003676050.tif 000006
【図６】
0003676050.tif 000007
【図７】
0003676050.tif 000008